(57)【要約】【課題】レンズ鏡筒および撮像装置において、レンズ鏡筒先端内部に溜まった水滴を、早期に乾燥させ、レンズ鏡筒外部への水漏れや、レンズ鏡筒部品の腐食を低減可能なレンズ鏡筒および撮像装置を提供すること。【解決手段】撮影光学系と、該撮影光学系を保持する第１の枠と、該第１の枠の被写体側前面に固定され、第１の枠の直径より小さい開口部を持つ前面部材とを持つレンズ鏡筒において、該前面部材には吸水性材料からなる第１の蒸発促進部材が配置され、該第１の枠の内径部から該蒸発促進部材へと水を誘引する第１の誘引部材を配置する。【選択図】  図１５
2015232667.tif 000002
【特許請求の範囲】
【請求項１】
撮影光学系と、
該撮影光学系を保持する第１の枠と、
該第１の枠の被写体側前面に固定され、第１の枠の直径より小さい開口部を持つ前面部材とを持つレンズ鏡筒において、
該前面部材には吸水性材料からなる第１の蒸発促進部材が配置され、
該第１の枠の内径部から該蒸発促進部材へと水を誘引する第１の誘引部材が配置されたことを特徴とするレンズ鏡筒。
【請求項２】
前記撮影光学系と前記前面部材の間に、前記撮影光学系の光路に対して進退可能な複数のバリア羽根が配置され、
該複数のバリア羽根の１つ以上に、各々第２の蒸発促進部材が配置され、前記第１の蒸発促進部材もしくは前記第１の誘引部材から、該第２の蒸発促進部材へと、水を誘引する第２の誘引部材が配置されたことを特徴とする請求項１に記載のレンズ鏡筒。
【請求項３】
前記撮影光学系と前記前面部材の間に、前記撮影光学系の光路に対して進退可能な複数のバリア羽根が配置され、該複数のバリア羽根の２つ以上に、各々第２の蒸発促進部材が配置され、該第２の蒸発促進部材同士を連結する吸水性材料からなる連結部材が配置されたことを特徴とする請求項１に記載のレンズ鏡筒。
【請求項４】
前記複数のバリア羽根が、前記撮影光学系の光路から退避した際には、前記第１の蒸発促進部材と前記複数の第２の蒸発促進部材は、光軸方向から見て重なった状態となり、前記複数のバリア羽根が、前記撮影光学系の光路に進入した際には、
前記第１の蒸発促進部材と前記複数の第２の蒸発促進部材は、光軸方向から見てほぼ重なっていない状態となることを特徴とする請求項２又は請求項３に記載のレンズ鏡筒。
【請求項５】
請求項１乃至請求項４の何れか一項に記載のレンズ鏡筒を持つことを特徴とする撮像装置。
【発明の詳細な説明】
【技術分野】
【０００１】
本発明は、レンズ鏡筒や撮像装置に係わり、特に、沈胴鏡筒構造を持ち防水・防滴性を有するレンズ鏡筒および撮像装置に関するものである。
【背景技術】
【０００２】
従来、鏡筒が多段の筒構造で伸縮し沈胴が可能な鏡筒構造を持ち、外部から隣接する筒間を通して内部への浸水や浸漬を防止する構造を持つレンズ鏡筒やカメラが知られている。
【０００３】
特許文献１に開示された技術では、特許文献１の図６や図１に記載されている様に、バリア駆動部材５０と第１の枠３０との間を水密に保つための防水部材（Ｏリング）５５を有しているので、１群レンズ６１より後方のレンズ鏡筒内部には水滴が入らない構造である。特許文献２に開示された従来技術では、特許文献２の図４に記載されている様に、水滴センサー３ｆが撮影レンズ２前の開口１ａ周りに、水滴センサー３ｆや３ｇが配置され、撮影レンズ２近傍に付く水滴をいち早く検知して、バリア羽根を閉じる事ができる。
【先行技術文献】
【特許文献】
【０００４】
【特許文献１】特開２００５−１７３１６６号公報
【特許文献２】特開２００５−２７４７０１号公報
【発明の概要】
【発明が解決しようとする課題】
【０００５】
しかしながら、特許文献１は、バリア羽根７０が位置しているバリア飾り（前面部材）９０と１群レンズ６１との空間には水滴や水が浸入する構造である。そして、電源オフ時にはバリア羽根が閉じ、水滴が残された状態となり、後ほど水滴が外部へ流出して、他の物を濡らしたり、また乾燥に時間がかかって、部品の腐食が発生し易くなる。許文献２は、電源オフ時にはバリア羽根が閉じ、検知前に開口１ａ内部に残された状態となり、後ほど水滴が外部へ流出して、他の物を濡らしたり、また乾燥に時間がかかって、部品の腐食が発生し易くなる。
【０００６】
そこで、本発明の目的は、レンズ鏡筒および撮像装置において、レンズ鏡筒先端内部に溜まった水滴を、早期に乾燥させ、レンズ鏡筒外部への水漏れや、レンズ鏡筒部品の腐食を低減可能なレンズ鏡筒および撮像装置を提供することである。
【課題を解決するための手段】
【０００７】
上記目的を達成する為に、
請求項１の本発明は、
撮影光学系と、
該撮影光学系を保持する第１の枠と、
該第１の枠の被写体側前面に固定され、第１の枠の直径より小さい開口部を持つ前面部材とを持つレンズ鏡筒において、
該前面部材には吸水性材料からなる第１の蒸発促進部材が配置され、
該第１の枠の内径部から該蒸発促進部材へと水を誘引する第１の誘引部材が配置される事である。
【０００８】
請求項２の本発明は、
請求項１のレンズ鏡筒において、
前記撮影光学系と前記前面部材の間に、
前記撮影光学系の光路に対して進退可能な複数のバリア羽根が配置され、
該複数のバリア羽根の１つ以上に、各々第２の蒸発促進部材が配置され、
前記第１の蒸発促進部材もしくは前記第１の誘引部材から、該第２の蒸発促進部材へと、水を誘引する第２の誘引部材が配置される事である。
【０００９】
請求項３の本発明は、
請求項１のレンズ鏡筒において、
前記撮影光学系と前記前面部材の間に、
前記撮影光学系の光路に対して進退可能な複数のバリア羽根が配置され
該複数のバリア羽根の２つ以上に、各々第２の蒸発促進部材が配置され、
該第２の蒸発促進部材同士を連結する吸水性材料からなる連結部材が配置される事である。
【００１０】
請求項４の本発明は、
請求項２と３のレンズ鏡筒において、
前記複数のバリア羽根が、前記撮影光学系の光路から退避した際には、
前記第１の蒸発促進部材と前記複数の第２の蒸発促進部材は、光軸方向から見て重なった状態となり、
前記複数のバリア羽根が、前記撮影光学系の光路に進入した際には、
前記第１の蒸発促進部材と前記複数の第２の蒸発促進部材は、光軸方向から見てほぼ重なっていない状態となる事である。
【００１１】
請求項５の本発明は、請求項１乃至請求項４の何れか一項に記載のレンズ鏡筒を持つ撮像装置である。
【発明の効果】
【００１２】
本発明によれば、レンズ鏡筒および撮像装置において、レンズ鏡筒先端内部に溜まった水滴を、早期に乾燥させ、レンズ鏡筒外部への水漏れや、レンズ鏡筒部品の腐食を低減可能なレンズ鏡筒および撮像装置を提供できる。
【図面の簡単な説明】
【００１３】
【図１】本発明の一実施の形態を示すレンズ鏡筒の沈胴位置を示した断面図
【図２】図１中のレンズ鏡筒のフロートキー及び直進枠の分解斜視図
【図３】図１中のレンズ鏡筒をＩＩＩの方向から見たレンズ鏡筒の正面図
【図４】図１中のレンズ鏡筒の撮影位置を示した断面図
【図５】図４中のレンズ鏡筒をＶの方向から見たレンズ鏡筒の正面図
【図６】図１中のレンズ鏡筒の第２のバリア羽根も閉じ始める位置を示した断面図
【図７】図６中のレンズ鏡筒をＶＩＩの方向から見たレンズ鏡筒の正面図
【図８】図２の分解斜視図の第１のバリア羽根７０及び第２のバリア羽根８０、バリア飾り（前面部材）９０部分の拡大図
【図９】バリア飾り（前面部材）９０を、図８のＶＩＩＩ方向から見た斜視図
【図１０】第２のバリア羽根８０を、図８のＶＩＩＩ方向から見た斜視図
【図１１】第１のバリア羽根７０を、図８のＶＩＩＩ方向から見た斜視図
【図１２】レンズ鏡筒の沈胴位置で、図３の断面ＡＢで切断した断面図
【図１３】第２のバリア羽根の閉じ始めの位置で、図７の断面ＡＢで切断した断面図
【図１４】撮影位置で、図５の断面ＡＢで切断した断面図
【図１５】バリア飾り（前面部材）９０・第２のバリア羽根８０・第１のバリア羽根７０を図８のＶＩＩＩ方向から見た斜視図
【図１６】沈胴位置で、バリア飾り（前面部材）９０・第２のバリア羽根８０・第１のバリア羽根７０のみを図８のＶＩＩＩ方向から見た背面図
【図１７】図６の第２のバリア羽根の閉じ始めの位置で、バリア飾り（前面部材）９０・第２のバリア羽根８０・第１のバリア羽根７０のみを図８のＶＩＩＩ方向から見た背面図
【図１８】撮影位置で、バリア飾り（前面部材）９０・第２のバリア羽根８０・第１のバリア羽根７０のみを図８のＶＩＩＩ方向から見た背面図
【発明を実施するための形態】
【００１４】
以下、本発明を実施するための好適な一実施形態について、図面を用いて説明する。
【００１５】
［実施の形態１］
図１は、本発明の一実施の形態を示すレンズ鏡筒の沈胴位置を示した断面図、図２は、図１中のレンズ鏡筒のフロートキー及び直進枠の分解斜視図である。
【００１６】
図１に示すように、レンズ鏡筒１  は、図示しないカメラ本体に基端部が固定された固定枠１０と、該固定枠１０の内側に回動自在に嵌入された第３の枠である回転枠２０と、該回転枠２０の内側に嵌入され、第１の位置である沈胴位置と第２の位置である撮影位置との間を光軸方向に進退移動する第１の枠である直進枠３０と、該直進枠３０の内側に嵌入され、直進枠３０の光軸方向の進退移動を直進ガイドする第２の枠であるフロートキー４０と、直進枠３０の光軸方向先端寄りであって、直進枠３０の内側に嵌入され、撮影光学系の一部である１群レンズ６１を保持する１群枠６０とを有して主要部が構成されている。なお、図の猥雑さを避けるため、撮影光学系を構成する第２群レンズ、第３群レンズ及びフォーカス、シャッタ機構については省略している。
【００１７】
固定枠１０の内周面には、円周方向に沿って等間隔に位置する、例えば３本の直進溝１０ａが光軸方向に沿って形成され、雌ヘリコイドねじ１０ｂが固定枠１０の内周面に螺旋状に形成されている。また、固定枠１０の内周面の先端には、固定枠１０の内側に回転枠２０が嵌入された際、固定枠１０と回転枠２０との間に配設され一端が回転枠２０の外周面に当接する遮光部材１１の他端が固定されている。
【００１８】
また、固定枠１０の外周面には、図示しない回転枠２０を回動駆動させるための、モータ駆動源が配設されている。
【００１９】
回転枠２０の外周面の後端部には、固定枠１０の雌ヘリコイドねじ１０ｂと螺合する雄ヘリコイドねじ２０ａが形成されている。なお、雄ヘリコイドねじ２０ａの一部には、平歯ギアが重畳して形成されており、この平歯ギアは、固定枠１０に配設されたモータ駆動源の図示しないギアと螺合している。
【００２０】
よって、回転枠２０は、雌ヘリコイドねじ１０ｂと雄ヘリコイドねじ２０ａとの螺合により、固定枠１０の内側において回動自在に嵌入されている。従って、雄ヘリコイドねじ２０ａが上記モータ駆動源により回動駆動されることにより、回転枠２０は、固定枠１０に対し回動しながら光軸方向に進退移動する。
【００２１】
また、回転枠２０の内周面には、雌ヘリコイドねじ２０ｂが形成されており、回転枠２０の内周面の後端部寄りには、円周方向に沿った円周溝２０ｃが形成されている。
【００２２】
さらに、回転枠２０の内周面の先端には、回転枠２０の内側に直進枠３０が嵌入された際、回転枠２０と直進枠３０との間に配設され一端が直進枠３０の外周面に当接する遮光部材２１の他端が固定されている。また、回転枠２０の内周面には、ズームレンズとなる撮影光学系の一部である図示しない２群レンズ及び３群レンズを保持する枠を光軸方向に進退駆動するための図示しない例えばカム溝が形成されている。
【００２３】
直進枠３０の外周面の後端部には、回転枠２０の雌ヘリコイドねじ２０ｂと螺合する雄ヘリコイドねじ３０ａが形成されている。よって、直進枠３０は、雌ヘリコイドねじ２０ｂと雄ヘリコイドねじ３０ａとが螺合することにより、回転枠２０に対して回転枠２０の内側において回動自在に嵌入される。
【００２４】
直進枠３０の内側の先端寄りには、中央部に１群レンズ６１及び図示しない２群レンズ，３群レンズの光路となる開口３０Ｂが形成された内向フランジ部３１が図２に示すように形成されている。
【００２５】
内向フランジ部３１には、開口３０Ｂの周部に光軸Ｏを中心として点対称に一対のバリア軸孔３７が穿設されている。また、内向フランジ部３１の光軸方向前方側の面（以下、先端面と称す）３１Ａ上であって、バリア軸孔３７の周部近傍には、光軸方向前方に突出するよう円柱状の一対の開きバネかけ部３４が光軸Ｏを中心として点対称に形成されている。
【００２６】
また、内向フランジ部３１の先端面３１Ａ上であって、開きバネかけ部３４の光軸Ｏから離間する方向には、光軸Ｏを中心として点対称に一対のビス孔３３が直進枠３０の内周面と当接して形成されている。
【００２７】
さらに、内向フランジ部３１の先端面３１Ａ上であって、ビス孔３３の近傍には、光軸Ｏを中心として点対称に光軸方向前方に突出する一対の係合凸部３２の基端部が直進枠３０の内周面と当接して形成されている。尚、係合凸部３２の先端面は、直進枠３０の外周に形成された先端面３０Ａと光軸方向前方に同じ高さとなるよう形成されている。
【００２８】
また、内向フランジ部３１の先端面３１Ａ上であって、内向フランジ部３１の開口３０Ｂの外周縁には、前方に突出する円周状の縁部３１ｓが形成されている。また、内向フランジ部３１の先端面３１Ａ上であって、縁部３１ｓと、直進枠３０の内周面との間には、縁部３１ｓと、直進枠３０の内周面とを連結する、縁部３１ｓから放射状に延出した４本のレール部３１ｂが形成されている。
【００２９】
４本のレール部３１ｂは、部分円弧状を有していて内向フランジ部３１の先端面３１Ａから前方に突出しており、光軸Ｏを中心として１組が点対称となる位置に形成されている。尚、４本のレール部３１ｂと縁部３１ｓとは、一体に形成されており、光軸方向前方に対して同じ高さとなるよう形成されている。
【００３０】
また、内向フランジ部３１の先端面３１Ａ上であって、バリア軸孔３７と、１本のレール部３１ｂと、縁部３１ｓと直進枠３０の内周面とによって囲まれた領域には、部分円弧状を有する一対の嵌入溝３１ｃが光軸Ｏを中心として点対称となる位置に形成されている。
【００３１】
尚、それぞれ一対の、バリア軸孔３７，開きバネかけ部３４，ビス孔３３，係合凸部３２及び嵌入溝３１ｃは、光軸Ｏを中心として非対称な位置に形成された２本のレール部３１ｂと、縁部３１ｓと直進枠３０の内周面とによって囲まれた領域に形成されている。
【００３２】
さらに、内向フランジ部３１の先端面３１Ａ上であって、それぞれ一対のバリア軸孔３７，開きバネかけ部３４，ビス孔３３，係合凸部３２，嵌入溝３１ｃを囲う２本のレール部３１ｂの内、一方のレール部３１ｂと、他方のレール部３１ｂと光軸Ｏに対して点対称となる位置に形成されたレール部３１ｂと、によって囲まれた領域には、光軸方向前方に突出した断面が小判状の突出部である一対の閉じバネかけ部３６及び該閉じバネかけ部３６の近傍に位置する光軸方向前方に突出した略円柱状を有する一対の閉じバネ軸３５が、光軸Ｏに対して点対称に形成されている。
【００３３】
また、直進枠３０の内周面の内向フランジ部３１よりも光軸方向後方には、光軸方向に沿って、回転止め部である凸状の直進キー３０ｂが、例えば５本形成されている。なお、この５本のうち、２本の直進キー３０ｂは、直進枠３０の円周方向でバリア軸孔３７の近傍に配される。
【００３４】
直進枠３０の内側には、５本の直進キー３０ｂに後述する直線溝４０ｃ及び直線溝４０ｅが摺動自在に嵌入されることにより、フロートキー４０が光軸方向に進退するようスライド嵌入される。なお、フロートキー４０に凸状の直進キーを設け、直進枠３０に直進溝を形成して両者が係合するようにしても良い。
【００３５】
フロートキー４０の外周面の後端には、円周方向に沿って等間隔に位置する、例えば３つの直進キー４０ａが、光軸Ｏから離間する方向に突出して形成されている。さらに、３つの直進キー４０ａは、図１に示すように、固定枠１０の内周面に形成された３本の直進溝１０ａに嵌入する。よって、フロートキー４０は、直進キー４０ａにより固定枠１０に対して光軸方向にのみ進退する。
【００３６】
また、フロートキー４０の外周面であって、直進キー４０ａの光軸方向前側近傍には、円周方向に沿って等間隔に位置する、係合部である例えば３つのバヨネット爪４０ｂが、光軸Ｏから離間する方向に突出して形成されている。
【００３７】
さらに、３つのバヨネット爪４０ｂの内、２つのバヨネット爪４０ｂの近傍には、光軸Ｏを中心に点対称に位置する、例えば２つの係合部であるバヨネット爪４０ｆが、光軸Ｏから離間する方向に突出して形成されている。
【００３８】
尚、バヨネット爪４０ｂ及びバヨネット爪４０ｆは、その突出高さが、直進キー４０ａの突出高さよりも低く形成されている。尚、このバヨネット爪４０ｆは、後述するが、直進枠３０がフロートキー４０に沈胴する際、光軸方向の力を受けるためのものである。
【００３９】
３つのバヨネット爪４０ｂ及び２つのバヨネット爪４０ｆは、図１に示すように、回転枠２０の内周面に形成された円周溝２０ｃに嵌入する。よって、フロートキー４０は、円周溝２０ｃにより回転枠２０に対して光軸方向の移動が規制される。即ち、フロートキー４０と回転枠２０とは、円周溝２０ｃにより光軸方向に一体的に進退する。
【００４０】
このことから、回転枠２０の円周溝２０ｃは、本発明におけるスラスト位置規制部を構成している。また、回転枠２０は、フロートキー４０に対して光軸を中心として回動自在となる。
【００４１】
フロートキー４０の光軸方向先端の円周には、光軸方向後方に凹んだ形状を有する光軸Ｏに対して点対称な一対の切り欠き４０ｇが形成されており、一対の切り欠き４０ｇには、光軸方向前方に突出する、例えば３角柱形状を有する一対の押圧部４０ｄが、光軸Ｏに対して点対称となる位置に形成されている。尚、一対の押圧部４０ｄには、光軸Ｏに対して傾斜した方向に押圧面４０ｄ１が形成されている。
【００４２】
さらに、フロートキー４０の外周面には、光軸方向先端から３つのバヨネット爪４０ｂの光軸方向前側近傍まで、光軸方向に沿って、例えば３本の案内部である直進溝４０ｃが形成されている。３本の直進溝４０ｃには、直進枠３０の内周面に形成された５本の直進キー３０ｂの内、３本の直進キー３０ｂがスライド嵌入する。
【００４３】
また、フロートキー４０の外周面には、一対の押圧部４０ｄの基端部の近傍であって、切り欠き４０ｇの先端から２つのバヨネット爪４０ｆの光軸方向前側近傍まで、光軸方向に沿って、案内部である、例えば２本の直進溝４０ｅが形成されている。
【００４４】
つまり、それぞれ５個設けられているバヨネット爪及び直進溝のうち、それぞれ２つのバヨネット爪４０ｆ、直進溝４０ｅは、フロートキー４０の円周方向の位置で一対の押圧部４０ｄの配置されている位置の近傍に配されている。
【００４５】
２本の直進溝４０ｅには、直進枠３０の内周面に形成された５本の直進キー３０ｂの内、２本の直進キー３０ｂがスライド嵌入する。尚、この直進溝４０ｅは、後述するが、直進枠３０がフロートキー４０に沈胴する際、光軸周りの力を受けるための補助となるものである。
【００４６】
このことから、５本の直進キー３０ｂに３本の直線溝４０ｃ及び２本の直線溝４０ｅが摺動自在に嵌入されることにより、フロートキー４０は、直進枠３０の内側に光軸方向に進退するようスライド嵌入される。
【００４７】
よって、直進枠３０は、雄ヘリコイドねじ３０ａと回転枠２０の雌ヘリコイドねじ２０ｂとが螺合して、回転枠２０により回動を受けたとしても、直進溝４０ｃ及び直進溝４０ｅによりフロートキー４０に対して光軸方向にのみ進退するようになっている。
【００４８】
以上から、レンズ鏡筒１は、回転枠２０が上記モータ駆動源により回動されると、回転枠２０及びフロートキー４０は固定枠１０に対して光軸方向に進退し、直進枠３０も回転枠２０の回動を受け、フロートキー４０により光軸方向に進退するようになっている。
【００４９】
直進枠３０の内向フランジ部３１に形成された一対のバリア軸孔３７には、一対のバリア駆動部材５０の一部が、光軸に平行な軸を中心として回動自在に嵌入されている。詳しくは、バリア駆動部材５０は、軸部５０ｂと該軸部の光軸方向前部に形成されたバネ受け部５１とにより、主要部が構成されている。
【００５０】
軸部５０ｂは、中央が中空の円筒状に形成されており、軸部５０ｂの円筒状の壁部の光軸方向の端部には、光軸方向に対して傾斜した方向にカム面が形成されている。
【００５１】
カム面５０ｃは、直進枠３０が沈胴した際、フロートキー４０の押圧部４０ｄの押圧面４０ｄ１と当接する。このことにより、バリア駆動部材５０は、後述する、第１のバリア羽根７０及び第２のバリア羽根８０の閉方向状態に対応する位置に向かう方向である円周方向の一の方向とは反対の他の方向に回動する。
【００５２】
また、軸部５０ｂの外径は、バリア軸孔３７の内径と略一致するように形成されている。さらに、軸部５０ｂの外周面のバネ受け部５１側には、防水部材であるＯリング５５が嵌入するＯリング用溝５０ｄが外周に沿って形成されている。
【００５３】
軸部５０ｂの光軸方向の先端の面には、軸部５０ｂの径よりも大きな径の円形状の底面を有する山の字状のバネ受け部５１が形成されている。バネ受け部５１の底面の光軸方向反対側の面であって、軸部５０ｂが形成されていない面は、内向フランジ部３１の先端面３１Ａに当接している。
【００５４】
このことから、バリア軸孔３７には、軸部５０ｂのみが回動自在に嵌入している。この状態で、Ｏリング５５は、バリア軸孔３７にその外周が当接して弾性変形した状態となる。よって、バリア軸孔３７の内周面と軸部５０ｂの外周面とは、Ｏリング５５により水密に保たれていることから、直進枠３０の内部に塵埃及び水滴等が混入することがない。
【００５５】
バネ受け部５１は、該バネ受け部５１の底面の中央に、光軸方向前方に突出するよう形成されたバリア軸５０ａと、バネ受け部５１の底面の外周に、バリア軸５０ａよりも低く光軸方向前方に突出するよう形成された円弧状の壁であるバネガイド５０ｇとから構成されている。バリア軸５０ａは、後述する第１のバリア羽根７０及び第２のバリア羽根８０の回動軸となるものである。
【００５６】
バネガイド５０ｇには、切り欠きである可動腕挿通部５０ｅと、該可動腕挿通部５０ｅよりも大きな切り欠きである固定腕挿通部５０ｈとが、光軸方向に平行に形成されている。また、可動腕挿通部５０ｅの光軸に平行な一端面は、バネ押圧部５０ｆとなっている。
【００５７】
さらに、バネガイド５０ｇの内周面とバネ受け部５１の底面とは、後述するバリア開きバネ１１０が収容されるバネ収容部５０ｉを形成している。詳しくは、一対のバネ収容部５０ｉには、開き付勢部材である一対のバリア開きバネ１１０の一部が収容されている。
【００５８】
さらに詳しくは、バリア開きバネ１１０は、例えば本実施の形態ではトーションバネであり、支持部１１０ａと固定腕１１０ｂと可動腕１１０ｃとにより構成されている。支持部１１０ａに、バリア駆動部材５０のバリア軸５０ａが挿入されており、支持部１１０ａは、バネ収容部５０ｉに戴置されている。
【００５９】
バリア開きバネ１１０の固定腕１１０ｂの腕部は、バリア駆動部材５０の固定腕挿通部５０ｈに挿通されており、可動腕１１０ｃの腕部は、バリア駆動部材５０の可動腕挿通部５０ｅに挿通されている。
【００６０】
また、固定腕１１０ｂの腕部の先端は、直進枠３０の内向フランジ部３１の先端面に形成された開きバネかけ部３４と、ビス孔３３が形成されているボスとの間に係止されており、また可動腕１１０ｃの腕部の中央は、バリア駆動部材５０のバネガイド５０ｇのバネ押圧部５０ｆに係止されている。
【００６１】
よって、バリア開きバネ１１０の可動腕１１０ｃは、バリア駆動部材５０のバネ押圧部５０ｆを円周方向の一の方向に向けて常時付勢している。即ち、バリア開きバネ１１０は、バリア駆動部材５０を、後述する第１のバリア羽根７０及び第２のバリア羽根８０の開方向状態に対応する位置に向かう方向である円周方向の一の方向に向けて常時付勢している。さらに可動腕１１０ｃの腕部の先端は、後述する第１のバリアはね７０の開きバネかけ７０ｃに係止されている。
【００６２】
直進枠３０の内向フランジ部３１の先端面３１Ａに形成された一対の閉じバネ軸３５には、一対の閉じ付勢部材であるバリア閉じバネ１２０が挿入されている。なお、本実施の形態ではバリア閉じバネ１２０はトーションバネである。
【００６３】
詳しくは、バリア閉じバネ１２０は、支持部１２０ａと固定腕１２０ｂと可動腕１２０ｃとにより構成されている。支持部１２０ａに、内向フランジ部３１の閉じバネ軸３５が挿入されている。
【００６４】
バリア閉じバネ１２０の固定腕１２０ｂの腕部は、直進枠３０の内向フランジ部３１の先端面３１Ａに形成された閉じバネかけ部３６に係止されており、バリア閉じバネ１２０の可動腕１２０ｃの腕部は、後述する第１のバリアはね７０の閉じバネかけ７０ｆに係止されている。
【００６５】
直進枠３０の内向フランジ部３１の先端面３１Ａには、開口３０Ｂに対して開閉移動する、詳しくは撮影光学系である１群レンズ，２群レンズ及び３群レンズの光路の少なくとも一部を遮断する閉位置と上記光路から退避する開位置とに移動する一対の第１のバリア羽根７０が配設されている。なお、本実施の形態では、一対の第１のバリア羽根７０は、それぞれ撮影光学系の光路のうち、光軸付近の光路を遮断する。
【００６６】
詳しくは、一対の第１のバリア羽根７０は、部分円弧状を有する板状部材により形成されており、上記閉位置に移動した際、それぞれの第１のバリア羽根７０の光軸方向に平行な一方の面（以下、内周面と称す）７０ｇが互いに係合，密閉する形状に形成されている。
【００６７】
第１のバリア羽根７０の一端には、軸孔７０ａが形成されており、該軸孔７０ａに、バリア開きバネ１１０の支持部１１０ａに嵌入されているバリア駆動部材５０のバリア軸５０ａの先端側が挿入される。
【００６８】
この際、第１のバリア羽根７０は、上記開位置においては、バリア駆動部材５０のバネ収容部５０ｉ及びバネガイド５０ｇ、バリア開きバネ１１０、レール部３１ｂ、嵌入溝３１ｃ、閉じバネ軸３５、閉じバネかけ部３６、バリア閉じバネ１２０の光軸方向前方を覆うように、直進枠３０の内側であって、開口３０Ｂを遮蔽しない位置に配置される。よって、第１のバリア羽根７０は、バリア開きバネ１１０及びバリア閉じバネ１２０の支持部に塵埃等が混入するのを防止している。
【００６９】
さらに、上記開位置においては、第１のバリア羽根７０の光軸方向に平行な他方の面（以下、外周面と称す）７０ｈは、直進枠３０に形成された開き位置規制部である開き位置ストッパ３１ｄに当接している。
【００７０】
また、軸孔７０ａの近傍であって光軸方向前方側の面には、光軸方向前方に延出する羽根駆動ピン７０ｄが形成されている。
【００７１】
さらに、第１のバリア羽根７０の後述する第２のバリア羽根８０が配される側の面には、第１のバリア羽根７０の他端であって、第１のバリア羽根７０の外周面７０ｈ寄りに、後述する第２の羽根８０の先端を江軸方向で受けて、第２の羽根８０の光軸方向に対する傾きを防止するスラスト受け部７０ｅが形成されている。
【００７２】
なお、第１のバリア羽根７０の軸孔７０ａの周囲もスラスト受け部７０ｅと光軸方向で同じ高さだけ突出して形成されており、軸孔７０ａの周囲に形成される面にて、第２のバリア羽根８０の傾きを防止している。換言すれば、第２のバリア羽根８０は、第１のバリア羽根７０の軸孔７０ａの周辺部と、第１のバリア羽根７０の先端部に形成されたスラスト受け部７０ｅにて光軸方向の位置が規制されている。
【００７３】
また、第１のバリア羽根７０のバリア駆動部材５０が配される側の面には、羽根駆動ピン７０ｄの略反対側となる位置であって外周面７０ｈ寄りに、バリア開きバネ１１０の可動腕１１０ｃの腕部の先端が係止される円柱状の開きバネかけ７０ｃが、バリア駆動部材５０が配される側に突出するように形成されている。
【００７４】
尚、開きバネかけ７０ｃの先端は、直進枠３０の内向フランジ部３１の嵌入溝３１ｃに嵌入され、嵌入溝３１ｃをスライド移動するようになっている。このことから、第１のバリア羽根７０は、バリア開きバネ１１０により上記開位置に向けて付勢可能なようになっている。
【００７５】
さらに、第１のバリア羽根７０のフランジ部３１側の面であって、開きバネかけ７０ｃの他端方向近傍には、直進枠３０の内向フランジ部３１の先端面３１Ａに形成されたレール部３１ｂと当接，摺動し、第１のバリア羽根７０の光軸方向に対する傾きを防止するスラスト受け部７０ｂが、内周面７０ｇ側の端部と外周面７０ｈ側の端部とを連結するように部分円弧状を有してフランジ部３１側に突出するように形成されている。
【００７６】
また、第１のバリア羽根７０のバリア閉じバネ１２０が配される側の面であって、スラスト受け部７０ｂの他端方向近傍の内周面７０ｇ寄りには、第１のバリア羽根７０が上記閉位置に移動した際、バリア閉じバネ１２０の可動腕１２０ｃの腕部の先端が係止される円柱状の閉じバネかけ７０ｆが、バリア閉じバネ１２０が配される側に突出するように形成されている。このことから、第１のバリア羽根７０は、バリア閉じバネ１２０により、常時上記閉位置となるよう付勢されている。
【００７７】
一対の第１のバリア羽根７０の光軸方向前方には、一対の第２のバリア羽根８０が配設されている。詳しくは、一対の第２のバリア羽根８０は、部分円弧状を有する板状部材により形成されている。
【００７８】
第２のバリア羽根８０の一端には、軸孔８０ａが形成されており、該軸孔８０ａに、バリア開きバネ１１０の支持部１１０ａ，第１のバリア羽根７０の支持部７０ａに挿入されているバリア駆動部材５０のバリア軸５０ａの先端が挿入されている。
【００７９】
また、第２のバリア羽根８０は、光軸方向に平行であって、光軸側の内周面８０ｇと、光軸方向に平行であって、光軸とは反対側の外周面８０ｈとを有している。さらに、軸孔８０ａの近傍には長孔８０ｄが形成されている。この長孔８０ｄの長手方向は、上記内周面８０ｇと外周面８０ｈとを結ぶ方向に沿うように形成されている。尚、長孔８０ｄの外周面８０ｈ側は、第１の当接部８０ｄ１を構成しており、長孔８０ｄの内周面８０ｇ側は、第２の当接部８０ｄ２を構成している。
【００８０】
長孔８０ｄには、第１のバリア羽根７０の羽根駆動ピン７０ｄが嵌入されている。尚、この際、第２のバリア羽根８０が上記開位置においては、羽根駆動ピン７０ｄは、長孔８０ｄの第１の当接部８０ｄ１に当接している。
【００８１】
また、第２のバリア羽根８０は、後述するが、羽根駆動ピン７０ｄにより開閉される。即ち、第２のバリア羽根８０は、第１のバリア羽根７０の開閉移動に連動して、開閉移動する。
【００８２】
一対の第２のバリア羽根８０の光軸方向前方には、バリア飾り（前面部材）９０が配設されており、バリア飾り（前面部材）９０は、直進枠３０の内側の先端に配設されている。
【００８３】
詳しくは、バリア飾り（前面部材９０は、開口部９０Ｂを有する円板により形成されている。開口部９０Ｂは、バリア飾り（前面部材）９０を直進枠３０に配設した際、内向フランジ部３１の開口３０Ｂの外周を覆うよう、四隅が大きく円形の長方形状を有している。
【００８４】
バリア飾り（前面部材）９０の開口部９０Ｂの外周の近傍には、内向フランジ部３１の係合凸部３２に嵌入される光軸Ｏを中心として点対称な一対のボス孔９０ｂが形成されている。また、一対のボス孔９０ｂの近傍には、内向フランジ部３１のビス孔３３に対向する位置に配設される光軸Ｏを中心として点対称な一対の挿通孔９０ａが形成されている。
【００８５】
一対の挿通孔９０ａにビス９５が挿通され、ビス９５が内向フランジ部３１のビス孔３３に螺合させることにより、バリア飾り（前面部材）９０は、直進枠３０の内側の先端部に固定されている。
【００８６】
尚、バリア飾り（前面部材）９０の外周面９０ｈは、直進枠３０の内周面に当接、密着しており、さらに、バリア飾り（前面部材）９０の光軸方向前方の面は、直進枠３０の先端面３０Ａと光軸方向前方に同じ高さとなっている。
【００８７】
蒸発促進部材・誘引部材・連結部材の配置と材質の説明をする。図９の様にバリア飾り（前面部材）９０の光軸方向後方の面には、開口部９０Ｂの外周一周にわたってドーナツ状に、蒸発促進部材Ａ２０１が接着固定されている。この蒸発促進部材Ａ２０１は、厚さ０．３ｍｍ前後で、材質がレーヨン繊維か、ポリエステル繊維にアクリル含浸加工した物で、その構造は不織布か、立体的な編物構造である。その為、水滴が付着した場合は、水滴が蒸発促進部材Ａ２０１面内に広がっていく。図９において、蒸発促進部材Ａ２０１の下方には、誘引部材Ａ２０２の根元部２０２ａが固定されている。誘引部材Ａ２０２の中間部２０２ｂは約９０度織り曲がっている。誘引部材Ａ２０２の先端部２０２ｃは、図１２の下方に図示されている様に、直進枠３０の内周面３０ｅに接触している。
【００８８】
同様に図９において、蒸発促進部材Ａ２０１の左右には、誘引部材Ｂ２０３と誘引部材Ｃ２０４が固定され、誘引部材Ｂ２０３の中間部２０３ｂは約９０度織り曲がり、先端部２０３ｃは、直進枠３０の内周面３０ｅに接触している。
【００８９】
図１０において、上側の第２のバリア羽根８０の光軸方向後方の面には、蒸発促進部材Ｃ２０５が接着固定されている。その蒸発促進部材Ｂ２０５の一部に誘引部材Ｂ２０６の根元部２０６ａが固定され、先端部２０６ｃは、図１６の様に蒸発促進部材Ａ２０１の表面に接触している。
【００９０】
同様に、下側の第２のバリア羽根８０の光軸方向後方の面には、蒸発促進部材Ｃ２０７が接着固定されている。その蒸発促進部材Ｃ２０７の一部に誘引部材Ｃ２０８の根元部２０８ａが固定され、先端部２０８ｃは、図１２や図１６の様に蒸発促進部材Ａ２０１の表面に接触している。
【００９１】
図１１において、上側の第１のバリア羽根７０の光軸方向後方の面には、蒸発促進部材Ｄ２０９が接着固定されている。その蒸発促進部材Ｄ２０９の一部に連結部材Ｄ２１０の根元部２１０ａが固定され、中間部２１０ｂが約４５度折り曲げられ、先端部２１０ｃは、図１２や図１６の様に、第２のバリア羽根８０の裏面に固定されている蒸発促進部材Ｂ２０５の表面に接触している。
【００９２】
同様に、下側の第１のバリア羽根７０の光軸方向後方の面には、蒸発促進部材Ｅ２１１が接着固定されている。その蒸発促進部材Ｅ２１１の一部に連結部材Ｅ２１２の根元部２１２ａが固定され、中間部２１２ｂが約４５度折り曲げられ、先端部２１２ｃは、図１６の様に、下側の第２のバリア羽根８０の裏面に固定されている蒸発促進部材Ｃ２０７の表面に接触している。
【００９３】
誘引部材Ａ２０２・誘引部材Ｂ２０３・誘引部材Ｃ２０４・蒸発促進部材Ｂ２０５・誘引部材Ｂ２０６・蒸発促進部材Ｃ２０７・誘引部材Ｃ２０８・蒸発促進部材Ｄ２０９・連結部材Ｄ２１０・蒸発促進部材Ｅ２１１・連結部材Ｅ２１２は、厚さ０．１ｍｍから０．３ｍｍで、材質がレーヨン繊維か、ポリエステル繊維にアクリル含浸加工した物で、その構造は不織布か、立体的な編物構造である。その為、水滴が付着した場合は、部材内で水滴が広がっていく。
【００９４】
沈胴状態時の蒸発促進部材・誘引部材・連結部材の作用の説明をする。次に、図１４の撮影状態（重力方向が−Ｙ方向の状態）で、雨やプールの水しぶき等による水滴２２０が、図示している経路Ｃを通って、レンズ鏡筒１の前面の内部である直進枠の内周面３０ｅの下方（重力方向）に溜まった状態で、使用者が撮像装置の電源をオフにして、図１２のレンズ鏡筒１が沈胴状態になった時で、撮像装置の姿勢が図３の−Ｙ方向が重力方向になる様に放置された際の、本実施の形態の作用を説明する。
【００９５】
沈胴直後に、図１２の直進枠の内周面３０ｅの下方（重力方向）に水滴２２０が溜まっているとする。この水滴は模式的図示であり、直進筒の内周面全周にわたって水滴が離散的に付着し、特に重力の影響で、直進枠の内周面３０ｅの下方に多く水滴が溜まっている状態である。
【００９６】
この水滴２２０は、誘引部材Ａ２０２の先端部２０２ｃに接触している為、水滴２０２は先端部２０２ｃに吸収され、中間部２０２ｂを経て根元部２０２ａに達する。更に根本部２０２ａが固定されている蒸発促進部材Ａ２０１のドーナツ形の表面に水滴２０２は広がって行く。
【００９７】
また、直進枠の内周面３０ｅの下方に水滴２２０が残存している場合は、蒸発促進部材Ａ２０１の水滴は、図１６の様に蒸発促進部材Ａ２０１に接触している誘引部材Ｂ２０６の先端部２０６ｃから根元部２０６ａに伝わり、根元部２０６ａが固定されている上側の第２バリア羽根８０上の蒸発促進部材Ｂ２０５に広がっていく。更に、蒸発促進部材Ｂ２０５に広がった水滴は、図１２の様に、蒸発促進部材Ｂ２０５の表面に接触している連結部材Ｄ２１０の先端部２１０ｃから根元部２１０ａに導かれ、根元部２１０ａが接触している上側の第１のバリア羽根７０に接着固定されている蒸発促進部材Ｄ２０９表面を広がっていく。
【００９８】
また、蒸発促進部材Ａ２０１の水滴は、図１２や図１６に図示されている様に、蒸発促進部材Ａ２０１に接触している誘引部材Ｃ２０８の先端部２０８ｃから根元部２０８ａに伝わり、根元部２０８ａが固定されている下側の第２バリア羽根８０上の蒸発促進部材Ｃ２０７に広がっていく。更に、蒸発促進部材Ｃ２０７に広がった水滴は、蒸発促進部材Ｃ２０７の表面に接触している連結部材Ｅ２１２の先端部２１２ｃから根元部２１２ａに導かれ、根元部２１２ａが接触している下側の第１のバリア羽根７０に接着固定されている蒸発促進部材Ｅ２１１表面を広がっていく。
【００９９】
以上の様に、直進枠の内周面３０ｅの下方に溜まっていた水滴は、蒸発促進部材Ａ２０１、蒸発促進部材Ｂ２０５、蒸発促進部材Ｃ２０７、蒸発促進部材Ｄ２０９、蒸発促進部材Ｅ２１１へ順番に広がることで、水滴総体積にたいする総表面積の比率が高くなる事で、乾燥が早くなる。第１のバリア羽根７０や第２のバリア羽根８０が閉じているが、そのバリア羽根同士の隙間や、バリア羽根とバリア飾り（前面部材）９０との隙間から、内部で水滴が蒸発した水蒸気は外部に出て行く事が可能である。
【０１００】
以上の説明は、撮像装置の姿勢が正位置（重力方向が−Ｙ方向）で放置された際の本実施形態の効果である。
【０１０１】
次に、撮像装置のグリップ上になる縦位置状態（重力方向が＋Ｚ方向）で放置された際の本実施例の効果を説明する。
【０１０２】
＋Ｚ方向が重力方向となる為、図１２に描かれている水滴２２０は、直進筒の内周面３０ｅに沿って、＋Ｚ方向に移動する。その為、図９や図１６で示した誘引部材Ｃ２０４の先端部２０４ｃが、移動した水滴２２０に接触することになる。そこで、水滴２０２は先端部２０４ｃに吸収され、中間部２０４ｂを経て根元部２０４ａに達する。更に根本部２０４ａが固定されている蒸発促進部材Ａ２０１のドーナツ形の表面に水滴２０２は広がって行く。その後の水滴の移動は、前述した撮像装置の姿勢が正位置（重力方向が−Ｙ方向）で放置された際と同様である。
【０１０３】
その次に、撮像装置のグリップ下になる縦位置状態（重力方向が−Ｚ方向）で放置された際の本実施例の効果を説明する。
【０１０４】
−Ｚ方向が重力方向となる為、図１２に描かれている水滴２２０は、直進筒の内周面３０ｅに沿って、−Ｚ方向に移動する。その為、図９や図１６において、誘引部材Ｂ２０３の先端部２０３ｃが、移動した水滴２２０に接触することになる。そこで、水滴２０２は先端部２０３ｃに吸収され、中間部２０３ｂを経て根元部２０３ａに達する。更に根本部２０３ａが固定されている蒸発促進部材Ａ２０１のドーナツ形の表面に水滴２０２は広がって行く。その後の水滴の移動は、前述した撮像装置の姿勢が正位置（重力方向が−Ｙ方向）で放置された際と同様である。
【０１０５】
次に、このように構成されたレンズ鏡筒１の沈胴位置から撮影位置への移動、及び撮影位置から沈胴位置への移動を図１乃至図７を用いて説明する。
【０１０６】
図３は、図１のレンズ鏡筒をＩＩＩの方向から見たレンズ鏡筒の正面図、図４は、図１のレンズ鏡筒の撮影位置を示した断面図、図５は、図４のレンズ鏡筒をＶの方向から見たレンズ鏡筒の正面図、図６は、図１のレンズ鏡筒の第２のバリア羽根８０の閉じ始めの位置を示した断面図、図７は、図６のレンズ鏡筒をＶＩＩの方向から見たレンズ鏡筒の正面図である。
【０１０７】
図１に示すように、レンズ鏡筒１が沈胴状態であるときは、固定枠１０の内側には、回転枠２０，直進枠３０及びフロートキー４０が沈胴している。よって、直進枠３０は、第１の位置である沈胴位置に位置している。このとき、フロートキー４０の一対の押圧部４０ｄの押圧面４０ｄ１は、直進枠３０の内向フランジ部３１の一対のバリア軸孔３７に嵌入しているバリア駆動部材５０の軸部５０ｂのカム面５０ｃを光軸方向前方に当接している。この状態においては、バリア駆動部材５０は、第１のバリア羽根７０及び第２のバリア羽根８０の閉方向状態に対応する位置に向かう方向である円周方向の一の方向とは反対の他の方向に回動されている。
【０１０８】
また、内向フランジ部３１の一対の閉じバネ軸３５が一対の支持部１２０ａに挿入されているバリア閉じバネ１２０の可動腕１２０ｃの腕部は、図３に示すように、一対の第１のバリア羽根７０の閉じバネかけ７０ｆを、第１のバリア羽根７０が上記閉位置となるよう付勢している。
【０１０９】
このことから、一対の第１のバリア羽根７０は、閉位置に回動している。即ち、一対の第１のバリア羽根７０の内周面７０ｇは、図３に示すように、互いに係合、密着し、１群レンズ，２群レンズ及び３群レンズの光路を遮断している。
【０１１０】
また、第２のバリア羽根８０の第２の当接部８０ｄ２を、第１のバリア羽根７０の羽根駆動ピン７０ｄが上記閉方向に当接して付勢することにより、一対の第２のバリア羽根８０は、図３に示す上記閉位置に移動しており、１群レンズ，２群レンズ及び３群レンズの光路を遮断している。
【０１１１】
この状態で、第２のバリア羽根８０の先端部が、開きバネかけ部３４に当接している。つまり、開きバネかけ部３４は、第２のバリア羽根８０の閉位置の位置規制部として機能する。
【０１１２】
この際、開きバネ１１０は、その可動腕１１０ｃがバリア駆動部材５０のバネ押圧部５０ｆに当接しており、第１のバリア羽根７０を上記開位置に移動させる付勢力が蓄えられている。
【０１１３】
しかし、レンズ鏡筒１が沈胴した状態ではフロートキー４０の押圧部４０ｄの押圧面４０ｄ１がバリア駆動部材５０のカム面５０ｃに当接しているため、バリア駆動部材５０の回動が規制されている。従って、開きバネ１１０の付勢力は、第１のバリア羽根７０には伝達されておらず、バリア閉じバネ１２０の付勢力により、第１のバリア羽根７０は閉方向へと付勢されている。
【０１１４】
このため、例えば第１のバリア羽根７０が閉位置において、意図的に指等により第１のバリア羽根７０が開位置に移動させられたとしても、指を第１のバリア羽根７０から放した途端、第１のバリア羽根７０は、閉位置に移動し、それに連動して第２のバリア羽根８０も閉位置に移動するようになっている。
【０１１５】
固定枠１０の外周に配設された上記モータ駆動源が回動し、回転枠２０の雄ヘリコイドねじ２０ａが回動すると、上述したように、回転枠２０及びフロートキー４０は、光軸方向前方に進出、即ち突出する。
【０１１６】
また、直進枠３０は、回転枠２０の回動を受け、該直進枠３０の内周面に形成された５本の直進キー３０ｂが、フロートキー４０の、３本の直進溝４０ｃ及び２本の直進溝４０ｅを光軸方向前方にスライド移動して光軸方向前方に突出する。
【０１１７】
このことから、レンズ鏡筒１は、図１に示す沈胴位置から図４に示す撮影位置に移動する。なお、図４は撮影位置のうち、テレ状態を示す図である。第１のバリア羽根７０、第２のバリア羽根８０は、撮影位置のうちレンズ鏡筒１がワイド状態となったときに開位置となり、さらに、レンズ鏡筒１がテレ状態となったときも開位置を維持している。
レンズ鏡筒１を沈胴位置から撮影位置に移動させると、フロートキー４０の一対の押圧部４０ｄの押圧面４０ｄ１は、光軸方向前方に押圧しているバリア駆動部材５０の軸部５０ｂのカム面５０ｃから離間する。
【０１１８】
このことにより、バリア駆動部材５０のバネガイド５０ｇのバネ押圧部５０ｆに係止されている可動腕１１０ｃの腕部の中央は、バネ押圧部５０ｆを第１のバリア羽根７０及び第２のバリア羽根８０の開方向状態に対応する位置に向かう方向である円周方向の一の方向に付勢する。よって、バリア駆動部材５０は、第１のバリア羽根７０及び第２のバリア羽根８０の開方向状態に対応する位置に向かう方向である円周方向の一の方向に回転される。
【０１１９】
この際、第１のバリア羽根７０の開きバネかけ７０ｃに係合し、付勢力が蓄えられていたバリア開きバネ１１０の可動腕１１０ｃの腕部の先端は、図５に示すように、開きバネかけ７０ｃを第１のバリア羽根７０が上記開位置となるよう付勢する。
【０１２０】
このことから、一対の第１のバリア羽根７０は、開位置に移動する。即ち、一対の第１のバリア羽根７０の外周面７０ｈは、図５に示すように、直進枠３０の内周に設けられた開き位置ストッパ３１ｄに当接し、内周面７０ｇは、１群レンズ，２群レンズ及び３群レンズの光路から退避する。即ち、第１のバリア羽根７０は、１群レンズ，２群レンズ及び３群レンズの光路から退避する。
【０１２１】
尚、第１のバリア羽根７０が閉位置から開位置へ移動する際に、第１のバリア羽根７０のスラスト受け部７０ｂは、内向フランジ部３１のレール部３１ｂ上を摺動する。
また、第２のバリア羽根８０の第１の当接部８０ｄ１を、第１のバリア羽根７０の羽根駆動ピン７０ｄが上記開方向に当接して付勢することにより、一対の第２のバリア羽根８０は、図５に示す上記開位置に移動しており、１群レンズ，２群レンズ及び３群レンズの光路から退避する。
【０１２２】
上記開位置においては、第２のバリア羽根８０の外周面８０ｈは、直進枠３０の内周に設けられた開き位置ストッパ３１ｄに当接している。
【０１２３】
また、上記開位置においては、第１のバリア羽根７０の閉じバネかけ７０ｆに係合しているバリア閉じバネ１２０の可動腕１２０ｃの腕部には、第１のバリア羽根７０を上記閉位置に回動させる付勢力が蓄えられている。
【０１２４】
しかし、第１のバリア羽根７０の開位置においては、バリア開きバネ１１０の可動腕１１０ｃの開方向への付勢力は、バリア閉じバネ１２０の可動腕１２０ｃの閉方向への付勢力よりも大きい。
【０１２５】
このため、例えば第１のバリア羽根７０が開位置において、意図的に指等により第１のバリア羽根７０が閉位置に移動させられたとしても、指を第１のバリア羽根７０から放した途端、第１のバリア羽根７０は、開位置に移動し、それに連動して第２のバリア羽根８０も開位置に移動するようになっている。
【０１２６】
この沈胴状態から撮影状態に移行する際の、蒸発促進部材・誘引部材・連結部材の相互の動きについて説明する。
【０１２７】
図１２と図１６の沈胴状態において、上側の第２のバリア羽根８０の光軸方向後方の面に固定されている蒸発促進部材Ｂ２０５の一部に誘引部材Ｂ２０６の根元部２０６ａが固定され、先端部２０６ｃは、蒸発促進部材Ａ２０１の表面に接触している。
同様に下側の第２のバリア羽根８０の光軸方向後方の面に固定されている蒸発促進部材Ｃ２０７の一部に誘引部材Ｃ２０８の根元部２０８ａが固定され、先端部２０８ｃは、蒸発促進部材Ａ２０１の表面に接触している。
【０１２８】
また、上側の第１のバリア羽根７０の光軸方向後方の面に固定されている蒸発促進部材Ｄ２０９の一部に連結部材Ｄ２１０の根元部２１０ａが固定され、先端部２１０ｃは、上側の第２のバリア羽根８０表面に接着固定されている蒸発促進部材Ｂ２０５の表面に圧接している。
【０１２９】
同様に、下側の第１のバリア羽根７０の光軸方向後方の面に固定されている蒸発促進部材Ｅ２１１の一部に連結部材Ｅ２１２の根元部２１２ａが固定され、先端部２１２ｃは、下側の第２のバリア羽根８０表面に接着固定されている蒸発促進部材Ｃ２０７の表面に圧接している。
【０１３０】
次に、図１の沈胴位置から、図６の第１のバリア羽根７０のみが外部に見え、第２のバリア羽根８０が外部から見えない状態まで変化すると、図１６から図１７までの様に、バリア羽根の回動に従って、蒸発促進部材Ａ２０１の表面に接触している誘引部材Ｂ２０６の先端部２０６ｃは、上側の第２のバリア羽根８０の回転中心であるバリア軸５０ａを中心に回動して、蒸発促進部材Ａ２０１の表面から、蒸発促進部材Ａ２０１に固定されている誘引部材Ｃ２０４表面へ摺動して、乗り移っていく。
【０１３１】
同様に、蒸発促進部材Ａ２０１の表面に接触している誘引部材Ｃ２０８の先端部２０８ｃは、下側の第２のバリア羽根８０の回転中心であるバリア軸５０ａを中心に回動して、蒸発促進部材Ａ２０１の表面から、蒸発促進部材Ａ２０１に固定されている誘引部材Ｂ２０３表面へ摺動して、乗り移っていく。
【０１３２】
蒸発促進部材Ｂ２０５表面に接触している連結部材Ｄ２１０の先端部２１０ａは、上側の第１のバリア羽根７０の回転中心であるバリア軸５０ａを中心に回動しながら、蒸発促進部材Ｂ２０５表面への接触状態が維持される。
【０１３３】
同様に、蒸発促進部材Ｃ２０７表面に接触している連結部材Ｅ２１２の先端部２１２ａは、下側の第１のバリア羽根７０の回転中心であるバリア軸５０ａを中心に回動しながら、蒸発促進部材Ｃ２０７表面への接触状態が維持される。
【０１３４】
更に、図６の第１のバリア羽根７０のみが外部に見え、第２のバリア羽根８０が外部から見えない状態から、図４の撮影位置まで変化すると、図１７から図１８までの様に、バリア羽根の回動に従って、蒸発促進部材Ａ２０１の表面に接触している誘引部材Ｂ２０６の先端部２０６ｃは、上側の第２のバリア羽根８０の回転中心であるバリア軸５０ａを中心に回動して、誘引部材Ｃ２０４表面を摺動する。
【０１３５】
同様に蒸発促進部材Ａ２０１の表面に接触している誘引部材Ｃ２０８の先端部２０８ｃは、下側の第２のバリア羽根８０の回転中心であるバリア軸５０ａを中心に回動して、誘引部材Ｂ２０３表面を摺動する。
【０１３６】
蒸発促進部材Ｂ２０５表面に接触している連結部材Ｄ２１０の先端部２１０ａは、上側の第１のバリア羽根７０の回転中心であるバリア軸５０ａを中心に回動しながら、図１４の様に、蒸発促進部材Ｂ２０５表面から離れた非接触状態となる。
【０１３７】
同様に、蒸発促進部材Ｃ２０７表面に接触している連結部材Ｅ２１２の先端部２１２ａは、下側の第１のバリア羽根７０の回転中心であるバリア軸５０ａを中心に回動しながら、図１４の様に、蒸発促進部材Ｂ２０５表面から離れた非接触状態となる。
【０１３８】
そして、レンズ鏡筒１を再度、撮影位置から沈胴位置に移動させる場合には、固定枠１０の外周に配設された上記モータ駆動源が、直進枠３０を沈胴位置から撮影位置に移動させたときとは逆の方向に回転する。これに伴って回転枠２０の雄ヘリコイドねじ２０ａが回転すると、上述したように、回転枠２０及びフロートキー４０は、光軸方向後方に退避、即ち沈胴する。
【０１３９】
この際、直進枠３０は、回転枠２０の回転を受け、直進枠３０の内周面に形成された５本の直進キー３０ｂが、フロートキー４０の、３本の直進溝４０ｃ及び２本の直進溝４０ｅを光軸方向後方にスライド移動することにより光軸方向後方に沈胴する。
このことから、レンズ鏡筒１は、図４に示す撮影位置から図６に示す位置を経て、図１に示す沈胴位置に移動する。
【０１４０】
詳しくは、レンズ鏡筒１を撮影位置から沈胴位置に移動させると、光軸方向前方に突出している直進枠３０は、回転枠２０とともに固定枠１０の内側に沈胴する。この際、図６に示すように、フロートキー４０の一対の押圧部４０ｄの押圧面４０ｄ１は、バリア駆動部材５０の軸部５０ｂのカム面５０ｃに当接し、光軸方向前方に押圧し始める。そして、カム面５０ｃが押圧部４０ｄの押圧面４０ｄ１に押圧されることで、バリア駆動部材５０は、バリア開きバネ１１０の付勢力に抗して回動する。
【０１４１】
このとき、内向フランジ部３１の一対の閉じバネ軸３５が一対の支持部１２０ａに挿入されているバリア閉じバネ１２０の可動腕１２０ｃの腕部は、一対の第１のバリア羽根７０の閉じバネかけ７０ｆを、第１のバリア羽根７０が上記閉位置となるよう付勢し始める。
【０１４２】
このことから、一対の第１のバリア羽根７０は、閉位置となる方向に移動し始める。即ち、一対の第１のバリア羽根７０は、内周面７０ｇが、図３に示すように、互いに係合、密着し、１群レンズ，２群レンズ及び３群レンズの光路を遮断するよう、上記閉位置に移動を始める。
【０１４３】
一対のバリア羽根７０が、図７に示す位置まで移動した際には、上記開位置において、一対の第２のバリア羽根８０の第１の当接部８０ｄ１に当接して付勢していた一対の第１のバリア羽根７０の羽根駆動ピン７０ｄは、一対の第２のバリア羽根８０の第２の当接部８０ｄ２に当接して付勢し始める。
【０１４４】
このことにより、一対の第２のバリア羽根８０は、閉位置となる方向に回動し始める。その後、レンズ鏡筒１は、図６に示す位置から、図１に示す沈胴位置に移動され、光軸方向前方に突出している直進枠３０は、回転枠２０とともに固定枠１０の内側に沈胴する。
【０１４５】
尚、第１のバリア羽根７０が開位置から閉位置へ移動する際にも、第１のバリア羽根７０のスラスト受け部７０ｂは、内向フランジ部３１のレール部３１ｂ上を摺動する。
さらに、直進枠３０が、回転枠２０の回転を受け、フロートキー４０に対して沈胴する際、直進枠３０は、該直進枠３０の内周面に形成された５本の直進キー３０ｂが、フロートキー４０の、３本の直進溝４０ｃ及び２本の直進溝４０ｅを光軸方向後方にスライド移動することにより光軸方向後方に沈胴する。
【０１４６】
この際、バリア駆動部材５０を駆動するための負荷は、上記押圧部４０ｄの押圧面４０ｄ１を介して、フロートキー４０を光軸周りに回動させる方向の力と、フロートキー４０を光軸方向に変位させる力として伝達される。
【０１４７】
しかし、押圧部４０ｄが形成された位置と光軸方向に沿って略同軸上に形成されたフロートキー４０のバヨネット爪４０ｂが光軸方向の力を受け、押圧部４０ｄが形成された位置と光軸方向に沿って略同軸上に形成された一対の直進溝４０ｅが、光軸周りの力を受ける補助となるため、フロートキー４０が変形することがない。
【０１４８】
つまり、バリア駆動部材５０を回動させるための負荷を、その負荷が加わる押圧部４０ｄの近傍に配されたバヨネット爪４０ｂ、直進溝４０ｅで受けるため、フロートキー４０の変形を防ぐことができる。
【０１４９】
このように、本発明の一実施の形態においては、一対の第１のバリア羽根７０の開閉を、直進枠３０のバリア軸孔３７に回動自在の嵌入された一対のバリア駆動部材５０の軸部５０ｂのカム面５０ｃと、フロートキー４０の光軸方向先端の形成された一対の押圧部４０ｄの押圧面４０ｄ１との、当接，離間を用いて行った。
【０１５０】
また、第２のバリア羽根８０の開閉を、第１のバリア羽根７０の羽根駆動ピン７０ｄと第２のバリア羽根８０の長孔８０ｄとを用いて、第１のバリア羽根７０の開閉に連動して開閉を行うようにした。
【０１５１】
さらに、第１のバリア羽根７０の軸孔７０ａ及び第２のバリア羽根８０の軸孔８０ａは、バリア駆動部材５０のバリア軸５０ａに挿入されている。
【０１５２】
さらに、バリア駆動部材５０にバリア開きバネ１１０のためのバネ収容室５０ｉを設けており、バリア開きバネ１１０を第１のバリア羽根７０、第２のバリア羽根８０の回動軸上に配置している。
【０１５３】
さらに、バリア開きバネ１１０の周囲は、バネガイド５０ｇに略覆われており、さらに、第１のバリア羽根７０の軸孔７０ａの周囲が上記バネガイド５０ｇの端面に接するように配置されている。従って、バリア開きバネ１１０の特にコイル部分である支持部１１０ａはバネガイド５０ｇおよび第１のバリア羽根７０により覆われている。これにより、バリア開きバネ１１０の特にコイル部分である支持部１１０ａに塵埃などが侵入する虞がなく、安定した開閉動作が行われる。
【０１５４】
また、バリア軸孔３７の内周面には、バリア駆動部材５０の軸部５０ｂがＯリング５５を介して回動自在に嵌入している。よって、バリア軸孔３７の内周面と軸部５０ｂの外周面とは、Ｏリング５５により水密に保たれていることから、簡単な構造により直進枠３０の内部に塵埃及び水滴等が混入するのを防止することができる。
【０１５５】
以上の様に、塵埃及び水滴等が混入するのを防止できている直進枠３０の内部より前側である直進枠の内周面３０ｅに浸入した水滴を、蒸発促進部材上に吸収拡散させる事で、水滴の蒸発を早める事が可能となり、非撮影時のレンズ鏡筒から外部への水滴の流出の防止や、レンズ鏡筒の部品の腐食を低減する事が可能となる。
また、複数の蒸発促進部材を、バリア飾り（前面部材）、第１のバリア羽根、第２のバリア羽根に配置して、非撮影状態である沈胴位置では、光軸方向から見て、それらの複数の蒸発促進部材を重ならない様に展開して、総表面積を拡大する事で、大気中への蒸発速度を速める事が可能となっている。
【０１５６】
また、撮影状態では、第１のバリア羽根、第２のバリア羽根と共に複数の蒸発促進部材は、光軸方向から見て重なりあって撮影光路から退避する事で、撮影の邪魔にならない様になっている。
【０１５７】
さらに、複数の蒸発促進部材は、誘引部材や連結部材によって、繋がっている為、濡れている蒸発促進部材の水滴が、すでに乾燥している他の蒸発促進部材へ移動する事ができ、全ての蒸発促進部材の乾燥時間を短縮する事が可能となる。
【符号の説明】
【０１５８】
１…レンズ鏡筒、２０…回転枠（第３の枠）、２０ｃ…円周溝（スラスト位置規制部）、
３０…直進枠（第１の枠）、３０ｂ…直進キー（回転止め部）、３０Ｂ…開口、
３０ｅ…内周面、３１…内向フランジ部、４０ｂ…バヨネット爪（係合部）、
４０ｆ…バヨネット爪（係合部）、４０…フロートキー（第２の枠）、
４０ｄ…押圧部、４０ｃ…直線溝（案内部）、５０ａ…バリア軸（バリア軸部）、
５０…バリア駆動部材、５５…Ｏリング（防止部材）、
６１…１群レンズ（撮影光学系）、７０…第１のバリア羽根（バリア羽根）、
８０…第２のバリア羽根（他のバリア羽根）、９０…バリア飾り（前面部材）、
９０Ｂ…開口部、１１０…バリア開きバネ（開き付勢部材）、
１２０…バリア閉じバネ（閉じ付勢部材）、Ｏ…光軸、
２０１…蒸発促進部材Ａ（第１の蒸発促進部材）、
２０２…誘引部材Ａ（第１の誘引部材）、
２０３…誘引部材Ｂ（第１の誘引部材）、
２０４…誘引部材Ｃ（第１の誘引部材）、
２０５…蒸発促進部材Ｂ（第２の蒸発促進部材）、
２０６…誘引部材Ｂ（第２の誘引部材）、
２０７…蒸発促進部材Ｃ（第２の蒸発促進部材）、
２０８…誘引部材Ｃ（第２の誘引部材）、
２０９…蒸発促進部材Ｄ（第２の蒸発促進部材）、
２１０…連結部材Ｄ、
２１１…蒸発促進部材Ｅ（第２の蒸発促進部材）、
２１２…連結部材Ｅ、
２２０…水滴
【図１】
2015232667.tif 000003
【図２】
2015232667.tif 000004
【図３】
2015232667.tif 000005
【図４】
2015232667.tif 000006
【図５】
2015232667.tif 000007
【図６】
2015232667.tif 000008
【図７】
2015232667.tif 000009
【図８】
2015232667.tif 000010
【図９】
2015232667.tif 000011
【図１０】
2015232667.tif 000012
【図１１】
2015232667.tif 000013
【図１２】
2015232667.tif 000014
【図１３】
2015232667.tif 000015
【図１４】
2015232667.tif 000016
【図１５】
2015232667.tif 000017
【図１６】
2015232667.tif 000018
【図１７】
2015232667.tif 000019
【図１８】
2015232667.tif 000020